(57)【要約】【課題】複数の服用者の分包容器を配薬タイミングごとに振り分ける作業におけるミスを抑制すると共に作業効率を高めることのできる配薬支援システム、及び配薬支援プログラムを提供すること。【解決手段】配薬支援システムは、複数の服用者に対する配薬に関する情報であって、服用者、薬品、配薬日、及び配薬タイミングの情報を取得する取得処理部と、前記取得処理部によって取得された情報に基づいて服用者及び薬品の情報を配薬日別に出力する第１出力処理と、前記取得処理部によって取得された情報に基づいて服用者及び薬品の情報を配薬タイミング別に出力する第２出力処理との少なくとも一方を実行可能な出力処理部と、を備える。そして、前記第１出力処理では、各配薬日の服用者及び薬品の情報が配薬タイミングごとに纏めて出力され、前記第２出力処理では、各配薬タイミングの服用者及び薬品の情報が配薬日ごとに纏めて出力される。【選択図】図１
2020177263.tif 000002
【特許請求の範囲】
【請求項１】
複数の服用者に対する配薬に関する情報であって、服用者、薬品、配薬日、及び配薬タイミングの情報を取得する取得処理部と、
前記取得処理部によって取得された情報に基づいて服用者及び薬品の情報を配薬日別に出力する第１出力処理と、前記取得処理部によって取得された情報に基づいて服用者及び薬品の情報を配薬タイミング別に出力する第２出力処理との少なくとも一方を実行可能な出力処理部と、
を備え、
前記第１出力処理では、各配薬日の服用者及び薬品の情報が配薬タイミングごとに纏めて出力され、
前記第２出力処理では、各配薬タイミングの服用者及び薬品の情報が配薬日ごとに纏めて出力される、
配薬支援システム。
【請求項２】
前記出力処理部は、服用者各々に対応する処方データに基づいて薬品を分包する分包装置における前記薬品の分包順に応じて、前記第１出力処理又は前記第２出力処理のいずれかを実行する、
請求項１に記載の配薬支援システム。
【請求項３】
前記出力処理部は、
前記分包装置において、服用日及び服用時期の組み合わせが同じで服用者が異なる薬品が、連続する分包容器に分包される場合に、前記第２出力処理を実行する、
請求項２に記載の配薬支援システム。
【請求項４】
前記出力処理部は、
前記分包装置において、複数の服用者の薬品が服用日別に分包される場合であって、服用日及び服用者の組み合わせが同じで服用時期が異なる薬品が、連続する分包容器に分包される場合に、前記第２出力処理を実行する、
請求項２に記載の配薬支援システム。
【請求項５】
前記出力処理部は、
前記分包装置において、服用時期及び服用者の組み合わせが同じで服用日が異なる薬品が、連続する分包容器に分包される場合に、前記第１出力処理を実行する、
請求項２に記載の配薬支援システム。
【請求項６】
前記出力処理部は、
前記分包装置において、複数の服用者の薬品が服用者別に分包される場合であって、服用日及び服用者の組み合わせが同じで服用時期が異なる薬品が、連続する分包容器に分包される場合に、前記第１出力処理を実行する、
請求項２に記載の配薬支援システム。
【請求項７】
前記出力処理部は、
前記取得処理部によって取得された情報に基づいて、服用者及び薬品の情報と共に、前記分包装置による分包対象外の薬品の情報を出力する、
請求項２〜６のいずれかに記載の配薬支援システム。
【請求項８】
前記配薬タイミング各々は、予め設定された一又は複数の服用時期を含む、
請求項１〜７のいずれかに記載の配薬支援システム。
【請求項９】
前記第１出力処理では、前記配薬日が切り替わるごとに改頁された配薬シートが出力される、
請求項１〜８のいずれかに記載の配薬支援システム。
【請求項１０】
前記第２出力処理では、前記配薬タイミングが切り替わるごとに改頁された配薬シートが出力される、
請求項１〜９のいずれかに記載の配薬支援システム。
【請求項１１】
前記出力処理部は、服用者及び薬品の情報が出力される際の当該情報の縦及び横のいずれか一方又は両方の配置数をユーザー操作に応じて設定可能である、
請求項１〜１０のいずれかに記載の配薬支援システム。
【請求項１２】
複数の服用者に対する配薬に関する情報であって、服用者、薬品、配薬日、及び配薬タイミングの情報を取得する取得ステップと、
前記取得ステップによって取得された情報に基づいて服用者及び薬品の情報を配薬日別に出力する第１出力処理と、前記取得ステップによって取得された情報に基づいて服用者及び薬品の情報を配薬タイミング別に出力する第２出力処理との少なくとも一方を実行可能な出力ステップと、
を一又は複数のプロセッサーに実行させるための配薬支援プログラムであって、
前記第１出力処理では、各配薬日の服用者及び薬品の情報が配薬タイミングごとに纏めて出力され、
前記第２出力処理では、各配薬タイミングの服用者及び薬品の情報が配薬日ごとに纏めて出力される、
配薬支援プログラム。
【発明の詳細な説明】
【技術分野】
【０００１】
本発明は、調剤作業又は配薬作業などを支援するための配薬支援システム及び配薬支援プログラムに関する。
【背景技術】
【０００２】
薬局などでは、錠剤又は散薬などの薬品を服用時期ごとに薬包等の分包容器に分包する分包装置（特許文献１参照）が用いられることがある。そして、分包装置で分包された薬品は、病院又は老健施設などの入居施設に搬送され、看護師などの配薬担当者によって服用者に配薬される。なお、服用者各々に対応する薬品の分包容器は、入居施設に搬送される前又は搬送された後に、当該分包容器が服用者に配薬される朝、昼、夜などの配薬タイミングごとに対応する所定のトレイ等に収容されることがある。これにより、配薬タイミング各々における配薬担当者の作業負担を軽減することができる。
【先行技術文献】
【特許文献】
【０００３】
【特許文献１】特開２０１１−１０４０７７号公報
【発明の概要】
【発明が解決しようとする課題】
【０００４】
しかしながら、複数の服用者の分包容器を配薬タイミングごとに振り分ける作業が行われる際、その作業を行う作業者は、各配薬タイミングに配薬されることが必要な全ての服用者、及び各配薬タイミングに服用者各々に配薬するべき薬品の情報などを容易に把握することができなかった。そのため、例えば分包容器を振り分けるための確認に時間を要するために作業効率が悪くなるという問題、又は、分包容器を振り分ける作業でミスが発生する可能性があるという問題があった。
【０００５】
本発明の目的は、複数の服用者の分包容器を配薬タイミングごとに振り分ける作業におけるミスを抑制すると共に作業効率を高めることのできる配薬支援システム、及び配薬支援プログラムを提供することにある。
【課題を解決するための手段】
【０００６】
本発明に係る配薬支援システムは、複数の服用者に対する配薬に関する情報であって、服用者、薬品、配薬日、及び配薬タイミングの情報を取得する取得処理部と、前記取得処理部によって取得された情報に基づいて服用者及び薬品の情報を配薬日別に出力する第１出力処理と、前記取得処理部によって取得された情報に基づいて服用者及び薬品の情報を配薬タイミング別に出力する第２出力処理との少なくとも一方を実行可能な出力処理部と、を備える。そして、前記第１出力処理では、各配薬日の服用者及び薬品の情報が配薬タイミングごとに纏めて出力され、前記第２出力処理では、各配薬タイミングの服用者及び薬品の情報が配薬日ごとに纏めて出力される。
【０００７】
本発明に係る配薬支援プログラムは、複数の服用者に対する配薬に関する情報であって、服用者、薬品、配薬日、及び配薬タイミングの情報を取得する取得ステップと、前記取得ステップによって取得された情報に基づいて服用者及び薬品の情報を配薬日別に出力する第１出力処理と、前記取得ステップによって取得された情報に基づいて服用者及び薬品の情報を配薬タイミング別に出力する第２出力処理との少なくとも一方を実行可能な出力ステップと、を一又は複数のプロセッサーに実行させるための配薬支援プログラムである。そして、前記第１出力処理では、各配薬日の服用者及び薬品の情報が配薬タイミングごとに纏めて出力され、前記第２出力処理では、各配薬タイミングの服用者及び薬品の情報が配薬日ごとに纏めて出力される。
【発明の効果】
【０００８】
本発明によれば、複数の服用者の分包容器を配薬タイミングごとに振り分ける作業におけるミスを抑制すると共に作業効率を高めることのできる配薬支援システム、及び配薬支援プログラムが提供される。
【図面の簡単な説明】
【０００９】
【図１】図１は、本発明の実施の形態に係る配薬支援システムの概略構成を示すブロック図である。
【図２】図２は、本発明の実施の形態に係る配薬支援システムで実行される薬品分包処理の結果の一例を示す図である。
【図３】図３は、本発明の実施の形態に係る配薬支援システムで使用される配薬管理情報の一例を示す図である。
【図４】図４は、本発明の実施の形態に係る配薬支援システムで使用される分包データの一例を示す図である。
【図５】図５は、本発明の実施の形態に係る配薬支援システムで使用される分包データの一例を示す図である。
【図６】図６は、本発明の実施の形態に係る配薬支援システムで使用される分包データの一例を示す図である。
【図７】図７は、本発明の実施の形態に係る配薬支援システムで使用される分包データの一例を示す図である。
【図８】図８は、本発明の実施の形態に係る配薬支援システムで実行される配薬支援処理の手順の一例を示すフローチャートである。
【図９】図９は、本発明の実施の形態に係る配薬支援システムで出力される配薬シートの一例を示す図である。
【図１０】図１０は、本発明の実施の形態に係る配薬支援システムで出力される配薬シートの一例を示す図である。
【図１１】図１１は、本発明の実施の形態に係る配薬支援システムで出力される配薬シートの一例を示す図である。
【図１２】図１２は、本発明の実施の形態に係る配薬支援システムで出力される配薬シートの一例を示す図である。
【図１３】図１３は、本発明の実施の形態に係る配薬支援システムで出力される配薬シートの一例を示す図である。
【図１４】図１４は、本発明の実施の形態に係る配薬支援システムで出力される配薬シートの一例を示す図である。
【発明を実施するための形態】
【００１０】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１１】
［配薬支援システム１０］
図１に示すように、本発明の実施の形態に係る配薬支援システム１０は、配薬支援装置１、調剤機器２、分包装置３、及びプリンタ４などを備える。前記配薬支援装置１、前記調剤機器２、前記分包装置３、及び前記プリンタ４は、ネットワークＮ１を介して無線又は有線で通信可能に接続されている。前記ネットワークＮ１は、ＬＡＮ、ＷＡＮ、インターネット、又はイントラネットなどである。前記配薬支援システム１０において、前記プリンタ４は、後述する配薬シートＰ１（図９〜図１４参照）の印刷に用いられるが、前記配薬支援装置１からの制御指示に基づいて処方箋又は薬袋などの印刷に用いられてもよい。
【００１２】
また、前記配薬支援装置１には、前記配薬支援装置１に処方データを入力する電子カルテシステム又は処方入力端末などの上位システム６が前記ネットワークＮ１を介して接続される。なお、前記配薬支援装置１が、前記上位システム６から能動的に前記処方データを取得可能な構成であってもよい。
【００１３】
前記処方データには、発行年月日、オーダーナンバー、処方区分（新規、変更など）、服用者ＩＤ、服用者名、服用者生年月日、薬品情報（薬品コード、薬品名、用量など）、剤形情報（内服、外用など）、服用開始日、服用期間、用法情報（服用時期を含む）、診療種別（外来、入院など）、診療科、担当医師などの情報が含まれる。なお、前記処方データには、「錠分」、「カ分」などの薬品の包装状態に関する情報も含まれる。
【００１４】
前記配薬支援装置１、前記調剤機器２、前記分包装置３、及び前記プリンタ４は、前記上位システム６で発行される前記処方データに基づいて薬品の調剤が行われる薬局又は病院などの調剤施設に配置される。なお、前記配薬支援装置１の配置場所は、前記ネットワークＮ１に接続可能であれば前記調剤施設の外部であってもよい。
【００１５】
前記処方データに基づいて前記調剤施設で調剤された薬品は、当該薬品を服用する複数の服用者が入居する病院又は老健施設などの入居施設に配送される。例えば、前記服用者は、病院で診療を受けている患者、又は、老健施設に入居している入居者である。前記入居施設は、前記調剤施設で調剤された薬品を服用する複数の服用者を含む予め設定された配薬グループの一例である。なお、前記配薬グループは、前記入居施設における部屋又はフロアであってもよく、複数の服用者の自宅を含む地域又は配送ルートであってもよい。
【００１６】
［調剤機器２］
前記調剤機器２は、前記調剤施設における薬品の調剤作業で使用される。例えば、前記調剤機器２各々は、水剤分注機、ＰＴＰシート払出装置、混注装置、又はピッキング支援装置などである。例えば、前記水剤分注機は、複数種類の水剤が収容された複数の薬瓶を有しており、前記配薬支援装置１から入力される調剤用データに従って、前記薬瓶から必要量の水剤を自動的に払い出す。前記ＰＴＰシート払出装置は、予め錠剤が包装されたＰＴＰシート又はヒートシールが収容された複数のシートカセットを有し、前記配薬支援装置１から入力される調剤用データに従って、前記シートカセットから前記ＰＴＰシート又は前記ヒートシールを自動的に払い出す。なお、前記ＰＴＰシート払出装置は、予め錠剤が包装されたＰＴＰシート又はヒートシールが収容された複数のシートカセットを有し、前記配薬支援装置１から入力される調剤用データに従って、必要な前記ＰＴＰシート又は前記ヒートシールが収容された前記シートカセットを自動的に払い出すものであってもよい。前記混注装置は、前記配薬支援装置１から入力される調剤用データに従って、抗癌剤などの薬品を輸液に注入する混注作業をロボットアームで自動的に実行する。前記ピッキング支援装置は、薬剤師又はテクニシャンなどによる薬品の取り揃え業務を支援するための各種情報の表示処理を実行する。
【００１７】
［分包装置３］
前記分包装置３は、前記配薬支援装置１から入力される後述の分包データＤ１に基づいて、服用者が服用する薬品を服用時期ごとに図２に示される薬包８１のような分包容器に分包することが可能な調剤機器である。なお、前記分包装置３では、当該分包装置３に装填される連続する長尺状の薬包シートの一部が加熱溶融されることにより複数の前記薬包８１が形成され、当該薬包８１各々の間には切り離しを容易にするためのミシン目８２が形成される。
【００１８】
具体的に、前記分包装置３は、錠剤を分包する錠剤分包機、又は散薬を分包する散薬分包機などである。前記錠剤分包機は、複数種類の錠剤が収容された複数の錠剤カセットを有し、前記分包データＤ１に従って前記錠剤カセットから錠剤を払い出して服用時期ごとに前記薬包８１で包装する分包動作を実行する。前記散薬分包機は、投入された散薬を前記分包データＤ１に従って服用時期ごとに前記薬包８１で包装する分包動作を実行する。また、前記散薬分包機は、複数の散薬カセットを有し、前記分包データＤ１に従って前記散薬カセットから散薬を払い出して服用時期ごとに前記薬包８１で包装する分包動作を実行するものであってもよい。さらに、前記錠剤分包機又は前記散薬分包機は、錠剤及び散薬を纏めて服用時期ごとに一包化することが可能な構成であってもよい。
【００１９】
前記分包装置３は、制御部３１及び分包プリンタ３２などを備える。前記制御部３１は、ＣＰＵ、ＲＯＭ、及びＲＡＭなどを備え、前記ＲＯＭ又は不図示の記憶装置に記憶される制御プログラムに基づいて前記分包装置３の動作を制御する。例えば、前記制御部３１は、前記分包プリンタ３２を用いて、図２に示されるように、前記薬包８１に収容される薬品を服用する服用者を識別可能な服用者名又は服用者ＩＤなどの服用者識別情報と、前記薬包８１に収容される薬品の服用日及び服用時期を識別可能な服用時期情報とを少なくとも含む薬包情報を前記薬包８１に印刷する。
【００２０】
前記分包装置３は、以下に説明する予め設定された４種類の第１分包処理〜第４分包処理のいずれかの分包手法に従った分包順で、同一の前記配薬グループに属する複数の服用者に対応する薬品を服用時期ごとに前記薬包８１に分包することが可能である。具体的に、前記制御部３１は、前記配薬支援装置１から入力される分包データＤ１に基づいて、前記第１分包処理〜前記第４分包処理のいずれかの分包手法に従って分包処理を実行する。即ち、前記配薬支援装置１では、前記第１分包処理〜前記第４分包処理のうち特定の分包処理を実行させるための前記分包データＤ１を生成することが可能である。なお、前記分包装置３は、前記第１分包処理〜前記第４分包処理のいずれか三つ以下の分包手法のみが実行可能であってもよい。
【００２１】
前記第１分包処理では、図２（Ａ）に示されるように、服用日及び服用時期の組み合わせが同じで服用者が異なる薬品が、連続する前記薬包８１に分包される。換言すれば、一の服用日について一の服用時期の異なる服用者各々に対応する前記薬包８１が連続する１セットとなり、その１セットの前記薬包８１が同じ服用日について服用時期ごとに連続することになる。例えば、図２（Ａ）に示される例では、服用日が「３月３日」であり服用時期が「朝食後」である薬品が、「湯山一郎」、「湯山二郎」、「湯山三郎」の順で分包され、続いて、服用日が「３月３日」であり服用時期が「昼食後」である薬品が、「湯山一郎」、「湯山二郎」、「湯山三郎」の服用者の順で分包される。その後、同様に、服用日が「３月３日」であり服用時期が「夕食後」である薬品が、「湯山一郎」、「湯山二郎」、「湯山三郎」の服用者の順で分包される。そして、同じ服用日の全ての服用者についての薬品の分包が終了すると、次の服用日についても同様に薬品の分包が実行される。
【００２２】
前記第２分包処理では、図２（Ｂ）に示されるように、複数の服用者の薬品が服用日別に分包される場合であって、服用日及び服用者の組み合わせが同じで服用時期が異なる薬品が、連続する前記薬包８１に分包される。換言すれば、一の服用者について一の服用日の服用時期各々に対応する前記薬包８１が連続する１セットとなり、その１セットの前記薬包８１が異なる服用者について服用日ごとに連続することになる。例えば、図２（Ｂ）に示される例では、服用日が「３月３日」であり服用者が「湯山一郎」である薬品が、「朝食後」、「昼食後」、「夕食後」の服用時期の順で分包され、続いて、服用日が「３月３日」であり服用者が「湯山二郎」である薬品が、「朝食後」、「昼食後」、「夕食後」の服用時期の順で分包される。その後、同様に、服用日が「３月３日」であり服用者が「湯山三郎」である薬品が、「朝食後」、「昼食後」、「夕食後」の服用時期の順で分包される。そして、同じ服用日の全ての服用者についての薬品の分包が終了すると、次の服用日についても同様に薬品の分包が実行される。
【００２３】
前記第３分包処理では、図２（Ｃ）に示されるように、服用時期及び服用者の組み合わせが同じで服用日が異なる薬品が、連続する前記薬包８１に分包される。換言すれば、一の服用時期について一の服用者の異なる服用日各々に対応する前記薬包８１が連続する１セットとなり、その１セットの前記薬包８１が同じ服用者について服用時期ごとに連続することになる。例えば、図２（Ｃ）に示される例では、「湯山一郎」の服用者について、服用時期が「朝食後」である薬品が、「３月３日」、「３月４日」、「３月５日」の順で分包され、続いて、「湯山一郎」の服用者について、服用時期「昼食後」である薬品が、「３月３日」、「３月４日」、「３月５日」の順で分包される。その後、同様に、「湯山一郎」の服用者について、服用時期「夕食後」である薬品が、「３月３日」、「３月４日」、「３月５日」の順で分包される。そして、同じ服用者について全ての服用時期についての薬品の分包が終了すると、次の服用者についても同様に薬品の分包が実行される。
【００２４】
前記第４分包処理では、図２（Ｄ）に示されるように、複数の服用者の薬品が服用者別に分包される場合であって、服用日及び服用者の組み合わせが同じで服用時期が異なる薬品が、連続する前記薬包８１に分包される。換言すれば、一の服用者について一の服用日の服用時期各々に対応する前記薬包８１が連続する１セットとなり、その１セットの前記薬包８１が同じ服用者について服用日ごとに連続することになる。例えば、図２（Ｄ）に示される例では、服用日が「３月３日」であり服用者が「湯山一郎」である薬品が、「朝食後」、「昼食後」、「夕食後」の服用時期の順で分包され、続いて、服用日が「３月４日」であり服用者が「湯山一郎」である薬品が、「朝食後」、「昼食後」、「夕食後」の服用時期の順で分包される。その後、同様に、服用日が「３月５日」であり服用者が「湯山一郎」である薬品が、「朝食後」、「昼食後」、「夕食後」の服用時期の順で分包される。そして、同じ服用者の全ての服用日についての薬品の分包が終了すると、次の服用者についても同様に薬品の分包が実行される。なお、前記第１分包処理、前記第２分包処理、前記第３分包処理、及び前記第４分包処理で分包結果として出力される一連の前記薬包８１には、図２に示されるように、ある程度の纏まりごとに空の前記薬包８１が含まれる。具体的に、前記第１分包処理及び前記第２分包処理では服用日が変化するタイミング、前記第３分包処理及び前記第４分包処理では服用者が変化するタイミングでそれぞれ空の前記薬包８１が出力されている。
【００２５】
ところで、前記分包装置３で分包された服用者各々の前記薬包８１は、入居施設に搬送される前又は搬送された後に、前記薬包８１が服用者に配薬される朝、昼、夜などの配薬タイミングごとに対応する所定のトレイ等に収容されることがある。しかしながら、複数の服用者の前記薬包８１を配薬タイミングごとに振り分ける作業が行われる際、その作業を行う作業者は、各配薬タイミングに配薬されることが必要な全ての服用者、及び各配薬タイミングに服用者各々に配薬するべき薬品の情報などを容易に把握することができなかった。そのため、例えば前記薬包８１を振り分けるための確認に時間を要するために作業効率が悪くなるという問題、又は、前記薬包８１を振り分ける作業でミスが発生する可能性があるという問題があった。これに対し、本実施形態に係る配薬支援システム１０では、以下に説明するように、複数の服用者の前記薬包８１を配薬タイミングごとに振り分ける作業におけるミスを抑制すると共に作業効率を高めることが可能である。
【００２６】
［配薬支援装置１］
前記配薬支援装置１は、制御部１１、データ記憶部１２、通信インターフェース１３、表示装置１４、操作装置１５、及びドライブ装置１６などを備えるパーソナルコンピュータである。本実施形態では、前記配薬支援装置１の単体が本発明に係る配薬支援システムの一例である。また、前記分包装置３が、前記配薬支援装置１から必要な情報を取得しつつ、後述の配薬支援処理を実行してもよく、この場合、当該分包装置３が配薬支援システムの一例である。さらに、前記配薬支援装置１及び前記分包装置３が協働して後述の配薬支援処理を実行してもよく、この場合、前記配薬支援装置１及び前記分包装置３を含む構成が配薬支援システムの一例である。
【００２７】
また、本実施形態で説明する前記配薬支援装置１における操作及び表示などは、前記ネットワークＮ１を介して当該配薬支援装置１と通信可能なクライアント端末の操作装置及び表示装置で行われてもよい。この場合、前記制御部１１は、前記クライアント端末に対するユーザー操作を受け付けて各種の処理を実行し、当該クライアント端末に各種の情報を表示させるための表示データを送信する。即ち、前記配薬支援装置１及び前記クライアント端末がサーバークライアントシステムを構成し、当該クライアント端末が前記配薬支援装置１の操作端末として使用されてもよい。
【００２８】
前記制御部１１は、ＣＰＵ、ＲＯＭ、及びＲＡＭ等を備える。前記ＣＰＵは、各種の制御プログラムに従って処理を実行することにより前記配薬支援装置１を制御するプロセッサーである。前記ＲＯＭは、前記ＣＰＵにより実行されるＢＩＯＳ等のプログラムが予め記憶された不揮発性メモリである。前記ＲＡＭは、前記ＣＰＵによる各種の制御プログラムの展開及びデータの一時記憶に用いられる揮発性メモリ又は不揮発性メモリである。そして、前記制御部１１は、前記ＣＰＵを用いて、前記ＲＯＭ又は前記データ記憶部１２等に予め記憶された各種の制御プログラムに従って各種の処理を実行する。
【００２９】
前記データ記憶部１２は、前記制御部１１によって実行される各種のアプリケーションプログラム及び各種のデータを記憶するハードディスク又はＳＳＤ等の不揮発性の記憶手段である。例えば、前記データ記憶部１２には、前記上位システム６から取得する前記処方データが記憶される。
【００３０】
また、前記データ記憶部１２には、薬品マスター、服用者マスター、薬剤師マスター、診療科マスター、及び病棟マスターなどの各種データベースが記憶される。例えば、前記薬品マスターには、薬品コード、薬品名、ＪＡＮコード（又はＲＳＳ）、薬瓶コード、区分（剤形：散薬、錠剤、水剤、外用薬など）、比重、薬品種（普通薬、毒薬、麻薬、劇薬、抗精神薬、治療薬など）、配合変化、賦形薬品、注意事項などの情報が含まれる。前記薬品コード又は前記薬品名は薬品を識別可能な薬品識別情報の一例である。また、前記服用者マスターには、服用者各々の服用者ＩＤ、服用者名、性別、年齢、住所、既往歴、家族情報、診療科、及び入院病棟と共に、入居先の前記入居施設などの情報が含まれる。前記服用者ＩＤ又は前記服用者名は服用者を識別可能な服用者識別情報の一例である。
【００３１】
また、前記データ記憶部１２には、一又は複数の服用時期と配薬タイミングとが対応付けられた配薬管理情報Ｄ０が記憶される。具体的に、図３に示されるように、前記配薬管理情報Ｄ０では、「起床時」、「朝」、「昼」、「夜」、「寝る前」などの配薬タイミングごとに対応する一又は複数の服用時期が記憶されている。なお、前記配薬管理情報Ｄ０は、前記配薬グループなどの予め設定された単位で個別に設定可能であってもよい。
【００３２】
例えば、図３に示される例では、「朝」の配薬タイミングに、「朝食前」及び「朝食後」の服用時期が対応付けられ、「昼」の配薬タイミングに、「昼食前」及び「昼食後」の服用時期が対応付けられ、「夜」の配薬タイミングに、「夕食前」及び「夕食後」の服用時期が対応付けられている。また、「起床時」の配薬タイミングには、「起床時」の服用時期が対応付けられており、「寝る前」の配薬タイミングには、「就寝前」の服用時期が対応付けられている。さらに、「頓服」の配薬タイミングには、「頓服」の服用時期が対応付けられており、「外用」の配薬タイミングには、「外用」の服用時期が対応付けられている。
【００３３】
また、前記データ記憶部１２には、前記配薬支援装置１において、前記制御部１１が前記処方データに基づいて生成する分包データＤ１が記憶される。ここに、図４〜図７は、前記分包データＤ１の一例を示す図である。図４〜図７に示すように、前記分包データＤ１では、服用日、服用時期、服用者ＩＤ、服用者名、服用薬品などの情報が対応付けて記憶されている。前記分包装置３は、前記分包データＤ１が入力された場合に、当該分包データＤ１に示されている順で薬品の分包を実行する。
【００３４】
具体的に、図４に示す前記分包データＤ１では、服用日及び服用時期の組み合わせが同じで服用者が異なる薬品が、同じ服用時期ごとに纏められて、連続する前記薬包８１に分包されるように、データが順に並べられている。これにより、前記分包データＤ１が前記分包装置３に入力された場合には、図２（Ａ）に示される態様の分包結果が得られる。また、図５に示す前記分包データＤ１では、服用日及び服用者の組み合わせが同じで服用時期が異なる薬品が、異なる服用者について同じ服用日の単位で纏められて、連続する前記薬包８１に分包されるように、データが順に並べられている。これにより、前記分包データＤ１が前記分包装置３に入力された場合には、図２（Ｂ）に示される態様の分包結果が得られる。
【００３５】
同様に、図６に示す前記分包データＤ１では、服用時期及び服用者の組み合わせが同じで服用日が異なる薬品が、同じ服用者の全ての服用日について服用時期ごとに纏められて、連続する前記薬包８１に分包されるように、データが順に並べられている。これにより、前記分包データＤ１が前記分包装置３に入力された場合には、図２（Ｃ）に示される態様の分包結果が得られる。また、図７に示す前記分包データＤ１では、服用日及び服用者の組み合わせが同じで服用時期が異なる薬品が、同じ服用者の全ての服用日について当該服用日ごとに纏められて、連続する前記薬包８１に分包されるように、データが順に並べられている。これにより、前記分包データＤ１が前記分包装置３に入力された場合には、図２（Ｄ）に示される態様の分包結果が得られる。
【００３６】
また、前記データ記憶部１２には、後述の配薬支援処理（図８参照）などを前記制御部１１に実行させるための配薬支援プログラムが記憶される。そして、前記制御部１１は、前記配薬支援プログラムに従って各種の処理を実行することにより、取得処理部１１１及び出力処理部１１２などの各種の処理部として機能する。具体的に、前記制御部１１は、前記配薬支援プログラムに従って各種の処理を実行することにより前記各種の処理部として機能する。また、前記各種の処理部のいずれか一又は複数がＡＳＩＣ又はＤＳＰなどの電子回路であってもよい。
【００３７】
前記取得処理部１１１は、複数の服用者に対する配薬に関する情報であって、服用者、薬品、配薬日、及び配薬タイミングの情報を取得する。例えば、前記取得処理部１１１は、前記上位システム６から取得する複数の服用者に対応する複数の処方データと前記配薬管理情報Ｄ０とに基づいて、服用者識別情報、薬品識別情報、詳細タイミング、包装状態、服用量、服用量の単位、配薬日、及び配薬タイミングなどの情報を取得する。前記服用者識別情報は、服用者を識別するための情報であり、服用者名又は服用者ＩＤなどの情報である。前記薬品識別情報は、薬品を識別するための情報であり、薬品名又は薬品コードなどの情報である。前記詳細タイミングの情報は、前記配薬タイミングにおける薬品の詳細な服用時期を示す情報であり、「食前」又は「食後」などの情報である。例えば、服用時期が「朝食前」である場合には、配薬タイミングが「朝」であり、前記詳細タイミングが「食前」となる。前記包装状態は、前記処方データに基づいて処方される薬品の包装錠剤を示す情報である。以下では、前記取得処理部１１１によって取得される情報を第１情報と称することがある。
【００３８】
前記出力処理部１１２は、前記取得処理部１１１によって取得された情報に基づいて服用者及び薬品の情報を配薬日別に出力する第１出力処理と、前記取得処理部１１１によって取得された情報に基づいて服用者及び薬品の情報を配薬タイミング別に出力する第２出力処理との少なくとも一方を実行可能である。ここで、前記第１出力処理では、各配薬日の服用者及び薬品の情報が配薬タイミングごとに纏めて出力される。一方、前記第２出力処理では、各配薬タイミングの服用者及び薬品の情報が配薬日ごとに纏めて出力される。本実施形態では、前記出力処理部１１２によって、前記第１情報のうち服用者及び薬品の情報を含む第２情報Ｄ２が出力される。前記第２情報Ｄ２は、前記第１情報に含まれる服用者ごとに関する当該服用者の情報と当該服用者に対応する薬品とを含む情報である。より具体的に、前記出力処理部１１２は、前記分包装置３における薬品の分包順に応じて、前記第１出力処理又は前記第２出力処理のいずれかを実行する。ここで、前記第２情報Ｄ２が配薬日別又は配薬タイミング別に出力される態様としては、配薬日ごと又は配薬タイミングごとに異なる頁に出力されることが考えられる。また、前記第２情報Ｄ２が配薬日別又は配薬タイミング別に出力される態様はこれに限らず、例えば各配薬日又は各配薬タイミングについて複数の頁に亘って前記第２情報Ｄ２が連続して出力されてもよい。なお、前記出力処理部１１２は、前記第１出力処理又は前記第２出力処理のいずれか一方のみを実行可能であってもよい。
【００３９】
前記通信インターフェース１３は、前記ネットワークＮ１を介して前調剤機器２、前記分包装置３、及び前記プリンタ４との間で、予め定められた通信プロトコルに従って無線又は有線でデータ通信を実行するネットワークカード等を有する。前記表示装置１４は、前記制御部１１からの制御指示に従って各種の情報を表示する液晶ディスプレイ又は有機ＥＬディスプレイなどの表示手段である。前記操作装置１５は、前記配薬支援装置１に各種の情報を入力するためにユーザーによって操作される操作手段である。具体的に、前記操作装置１５は、前記表示装置１４の表示画面に従った各種の情報の入力操作を受け付けるキーボード及びマウス（ポインティングデバイス）を含む。
【００４０】
前記ドライブ装置１６は、前記配薬支援プログラムが記録されたコンピュータ読み取り可能な記録媒体１７から前記配薬支援プログラムを読み取ることが可能である。前記記録媒体１７は、ＣＤ、ＤＶＤ、ＢＤ、又はＵＳＢメモリなどである。そして、前記配薬支援装置１では、前記制御部１１により、前記記録媒体１７から前記ドライブ装置１６で読み取られた前記配薬支援プログラムが前記データ記憶部１２にインストールされる。
【００４１】
［配薬支援処理］
続いて、前記配薬支援システム１０において実行される配薬支援処理の手順の一例について説明する。前記配薬支援処理は、前記配薬支援装置１に対して前記配薬支援プログラムを実行するための所定のユーザー操作が実行された場合に、前記制御部１１によって実行される。なお、本発明は、前記配薬支援処理の処理手順の一部又は全部を実行する配薬支援方法、又は当該配薬支援方法を前記配薬支援装置１等のコンピュータに実行させるための前記配薬支援プログラムの発明として捉えられてもよい。
【００４２】
＜ステップＳ１＞
ステップＳ１において、前記制御部１１は、ユーザー操作に応じて、複数の服用者の処方データを調剤対象として選択する選択処理を実行する。具体的に、前記制御部１１は、前記表示装置１４に調剤対象を選択するための選択画面を表示させ、前記操作装置１５に対するユーザーによる選択操作に応じて前記調剤対象を選択する。
【００４３】
例えば、前記選択処理において、前記制御部１１は、前記データ記憶部１２に記憶されている処方データからユーザー操作に応じて任意の処方データを選択する。また、前記選択処理において、前記制御部１１は、前記入居施設のような予め設定された配薬グループがユーザー操作によって選択された場合に、当該配薬グループに属する複数の服用者の処方データを調剤対象として選択してもよい。さらに、前記選択処理において、前記制御部１１は、複数の服用者がユーザー操作によって選択された場合に、当該複数の服用者に対応する処方データ各々を調剤対象として選択してもよい。また、前記制御部１１は、処方発行日又は服用期間などについてユーザー操作により設定される条件に従って調剤対象となる一群の前記処方データを選択してもよい。
【００４４】
＜ステップＳ２＞
ステップＳ２において、前記制御部１１は、前記分包装置３に分包処理を開始させる。具体的に、前記制御部１１は、前記ステップＳ１で調剤対象として選択された前記処方データ各々に基づいて前記分包データＤ１を生成し、当該分包データＤ１を前記分包装置３に入力する。これにより、前記分包装置３では、前記分包データＤ１に基づいて分包処理が実行される。なお、前記分包データＤ１は、前記データ記憶部１２にも記憶される。
【００４５】
このとき、前記制御部１１は、前記第１分包処理〜前記第４分包処理のうち予め選択された分包手法で前記分包装置３による分包処理が実行されるように、当該分包手法に対応する分包データＤ１を生成する。例えば、前記第１分包処理〜前記第４分包処理のいずれかの分包手法の選択は、前記ステップＳ１における前記処方データの選択時、又は初期設定などによってユーザー操作によって行われる。また、前記制御部１１が、前記分包装置３に前記処方データと前記分包手法の種別とを入力し、前記分包装置３が、指定された種別の前記分包手法に従って前記分包処理を実行してもよい。なお、前記制御部１１は、前記調剤機器２を用いて調剤する薬品が存在する場合には、当該調剤機器２に調剤用データを入力するが、ここではその詳細な説明を省略する。
【００４６】
＜ステップＳ３＞
ステップＳ３において、前記制御部１１は、複数の服用者に対する配薬に関する情報であって、服用者、薬品、配薬日、及び配薬タイミングの情報を含む前記第１情報を取得する取得ステップを実行する。なお、前記取得ステップは、前記制御部１１の取得処理部１１１によって実行される。具体的に、前記制御部１１は、前記ステップＳ１で調剤対象として選択された複数の服用者に対応する複数の処方データと前記配薬管理情報Ｄ０とに基づいて、前記第１情報を取得する。
【００４７】
なお、本実施形態では、当該ステップＳ３以降の処理は、前記ステップＳ２の実行後に連続して実行される場合について説明するが、当該ステップＳ３以降の処理は、前記ステップＳ１の実行後であれば、前記ステップＳ２の実行前又は実行後などにおける任意のタイミングで実行されてもよい。例えば、前記任意のタイミングは、ユーザーによる後述の配薬シートＰ１を出力要求操作が行われるタイミングである。
【００４８】
例えば、前記制御部１１は、前記処方データに含まれる前記服用開始日及び前記服用期間に基づいて、当該服用開始日から当該服用期間が経過するまでの間の日それぞれを前記配薬日として取得する。さらに、前記制御部１１は、前記処方データに含まれる前記用法情報と前記配薬管理情報Ｄ０とに基づいて、当該用法情報に示された各服用時期に対応する配薬タイミングを取得する。また、前記制御部１１は、前記処方データに含まれる前記薬品情報に基づいて、前記配薬日及び前記配薬タイミングの各組み合わせについて、配薬が必要な服用者の情報と、当該服用者に配薬されるべき薬品の情報とを取得する。例えば、前記制御部１１は、前記配薬管理情報Ｄ０に基づいて、前記服用情報に含まれる服用時期が「朝食前」及び「朝食後」である薬品については、配薬タイミングが「朝」であると判断する。また、本実施形態では、前記配薬タイミングと前記服用時期とが異なる場合があるものとして説明するが、前記配薬タイミングが前記服用時期と同じであってもよく、この場合、前記配薬管理情報Ｄ０は不要である。
【００４９】
＜ステップＳ４＞
ステップＳ４において、前記制御部１１は、当該配薬支援処理で生成する配薬シートＰ１を第１フォーマットで出力するか否かを判断する。具体的に、前記第１フォーマットは、前記取得処理部１１１によって取得された情報に基づいて服用者及び薬品の情報を配薬日別に出力する前記第１出力処理により出力される配薬シートＰ１の態様に対応する。そして、前記制御部１１は、前記分包装置３における薬品の分包順に応じて前記第１フォーマットで出力するか否かを判断する。例えば、前記制御部１１は、前記ステップＳ２で生成した前記分包データＤ１の形式に基づいて、前記分包装置３における薬品の分包順を判断することが可能である。なお、前記制御部１１は、前記分包装置３から薬品の分包順の情報を取得してもよい。
【００５０】
具体的に、前記制御部１１は、前記分包データＤ１が前記第１分包処理又は前記第２分包処理に対応するデータである場合には、前記第２情報Ｄ２を配薬日別に出力する第１フォーマットで前記配薬シートＰ１を出力すると判断する。また、前記制御部１１は、前記分包データＤ１が前記第３分包処理又は前記第４分包処理に対応するデータである場合には、前記第２情報Ｄ２を配薬タイミング別に出力する第２フォーマットで前記配薬シートＰ１を出力すると判断する。即ち、前記制御部１１は、前記分包装置３における薬品の分包順が、同じ服用日が連続する順である場合には第１フォーマットで前記配薬シートＰ１を出力すると判断し、異なる服用日が混在する場合には第２フォーマットで前記配薬シートＰ１を出力すると判断する。そして、前記第１フォーマットで出力すると判断されると（Ｓ４：Ｙｅｓ）、処理がステップＳ５に移行し、前記第１フォーマットで出力しないと判断されると（Ｓ４：Ｎｏ）、処理がステップＳ６に移行する。
【００５１】
＜ステップＳ５＞
ステップＳ５において、前記制御部１１は、前記ステップＳ３で取得した前記第１情報に基づいて、前記第１フォーマットで前記配薬シートＰ１を生成する。ここで、図９〜図１１を参照しつつ、前記第１フォーマットで生成された前記配薬シートＰ１の一例について説明する。図９〜図１１は、前記第１フォーマットで生成された３頁の前記配薬シートＰ１の一例を示す図である。なお、図９〜図１１に示される前記配薬シートＰ１に記載されている具体的な情報の内容は、説明の便宜上の情報を含むものであり、図４〜図７の前記分包データＤ１と関連するものではない。
【００５２】
前記制御部１１は、図９〜図１１に示されるように、前記配薬シートＰ１を前記第１フォーマットで生成する場合には、複数の服用者に対応する複数の前記第２情報Ｄ２を配薬日及び配薬タイミングの組み合わせごとにグループ化して複数の配薬単位情報Ｄ３を生成する。即ち、一の配薬日における一の配薬タイミングに対応する前記配薬単位情報Ｄ３には、当該配薬単位情報Ｄ３に対応する一の配薬日における一の配薬タイミングに配薬されるべき薬品が存在する一又は複数の服用者の情報が含まれる。そして、前記制御部１１は、前記配薬単位情報Ｄ３各々を前記配薬日別に纏めて配置した前記配薬シートＰ１を生成する。ここで、前記制御部１１は、前記配薬シートＰ１において、前記配薬単位情報Ｄ３各々を当該配薬単位情報Ｄ３に対応する前記配薬タイミングの時系列順で上から並べて配置する。具体的に、図９〜図１１に示される例では、前記配薬日ごとに対応する１頁の前記配薬シートＰ１に、当該配薬日に対応する前記配薬単位情報Ｄ３が並べて配置されている。即ち、前記制御部１１は、前記配薬日が切り替わるごとに改頁された前記配薬シートＰ１を生成する。なお、前記配薬シートＰ１が両面印刷で出力される場合、前記改頁には、１枚の前記配薬シートＰ１の表面から裏面への切り替えも含まれる。
【００５３】
図９〜図１１に示される例では、「平成３１年３月３日」から「平成３１年３月５日」までの３日間の配薬日に対応する３頁の前記配薬シートＰ１のそれぞれにおいて、「起床時」、「朝」、「昼」、「夜」、「寝る前」の配薬タイミングごとに対応する前記配薬単位情報Ｄ３が当該配薬タイミングの時系列順に従って上から順に並べて配置されている。即ち、前記配薬シートＰ１各々では、当該配薬シートＰ１に対応する配薬日について、前記配薬タイミングごとに前記第２情報Ｄ２が纏めて配置されている。例えば、図９に示される例では、「平成３１年３月３日」の配薬日に対応する前記配薬シートＰ１では、「朝」の配薬タイミングについて、「服用者Ａ」〜「服用者Ｉ」の９人分の前記第２情報Ｄ２を含む前記配薬単位情報Ｄ３が配置されている。なお、図９に示されるように、前記調剤対象として選択された前記処方データにおける最初の配薬日に対応する前記配薬シートＰ１には、前記配薬タイミングが「頓服」及び「外用」である前記第２情報Ｄ２が出力されている。また、前記配薬タイミングが任意のタイミングである「頓服」及び「外用」である前記第２情報Ｄ２については、別の前記配薬シートＰ１に出力されてもよい。
【００５４】
前記第２情報Ｄ２には、前記第１情報Ｄ１に含まれる情報のうち、前記服用者識別情報、前記薬品識別情報、前記詳細タイミング、前記包装状態、前記服用量、前記服用量の単位などの情報が含まれる。
【００５５】
前記包装状態は、薬品が包装されている状態を示す情報である。例えば、前記包装状態には、錠分、錠ヒ、錠Ｄ、カ分、カヒ、カＤ、散分、散ヒ、水希、水原、又は水ヒなどが含まれる。「錠分」は錠剤分包、「錠ヒ」は錠剤ヒート、「錠Ｄ」は錠剤ＤＴＡ分包、「カ分」はカプセル分包、「カヒ」はカプセルヒート、「カＤ」はカプセルＤＴＡ、「散分」は散薬分包、「散ヒ」は散薬ヒート、「水希」は水剤希釈、「水原」は水剤原液、「水ヒ」は水剤ヒートをそれぞれ示す。即ち、前記包装状態に含まれる「分」、「Ｄ」は、前記薬包８１に収容されている薬品であることを示す。また、前記包装状態に含まれる「ヒ」は、前記分包装置３による分包対象外の薬品であって、前記薬包８１とは別にヒートで既に包装されている薬品である旨を示す。また、前記包装状態に含まれる「頓」は、前記分包装置３による分包対象外の薬品であって、前記薬包８１とは別に必要な頓服薬である旨を示し、前記包装状態に含まれる「外」は、前記分包装置３による分包対象外の薬品であって、前記薬包８１とは別に必要な外用薬である旨を示す。なお、以下では、前記分包対象外の薬品を分包外薬品と称することがある。
【００５６】
具体的に、図９に示される前記配薬シートＰ１では、「平成３１年３月３日」の「朝」の配薬タイミングについて、「施設Ａ」に入居している「服用者Ａ」は、「食後」に、前記薬包８１に分包された「薬品Ａ」、「薬品Ｂ」、及び「薬品Ｃ」をそれぞれ「１錠」ずつ服用する必要があることがわかる。これにより、ユーザーは、当該配薬タイミングについて、当該服用者が前記薬包８１の他には同一時期に配薬するべき薬品がないことがわかる。
【００５７】
同様に、図９に示される前記配薬シートＰ１では、「平成３１年３月３日」の「朝」の配薬タイミングについて、「施設Ａ」に入居している「服用者Ｂ」は、前記薬包８１に分包されている「１錠」の「薬品Ａ」を「食前」に服用し、前記薬包８１に分包されている「薬品Ｂ」、「薬品Ｃ」をそれぞれ「１錠」ずつ「食後」に服用する必要があることがわかる。これにより、ユーザーは、当該配薬タイミングについて、当該服用者が同一時期に配薬するべき薬品として、食前及び食後のそれぞれに対応する二つの前記薬包８１があることがわかる。なお、前記配薬シートＰ１では、前記第２情報Ｄ２として、前記薬包８１の数が明示されてもよい。
【００５８】
さらに、図９に示される前記配薬シートＰ１では、「平成３１年３月３日」の「朝」の配薬タイミングについて、「施設Ａ」に入居している「服用者Ｉ」は、「食後」に、前記薬包８１に分包されている「１錠」の「薬品Ｇ」と、前記薬包８１とは別のカプセルヒートに収容されている「１錠」の「薬品Ｋ」とを服用する必要があることがわかる。これにより、ユーザーは、当該配薬タイミングについて、当該服用者が同一時期に配薬するべき薬品として、前記薬包８１及び当該薬包８１とは別のカプセルヒートがあることがわかる。このように、前記処方データに、前記薬包８１に分包されない分包外薬品の情報（種類、使用時期など）が含まれる場合、前記制御部１１は、前記第２情報Ｄ２に前記分包外薬品の情報を含めて前記配薬シートＰ１を出力する。これにより、前記薬包８１が配薬タイミングに対応する所定のトレイなどに振り分けられる際に、作業者が、当該薬包８１と共に振り分けるべき前記分包外薬品の存在を容易に把握することが可能であり、作業効率が向上すると共に振り分け作業のミスが抑止される。
【００５９】
＜ステップＳ６＞
ステップＳ６において、前記制御部１１は、前記ステップＳ３で取得した前記第１情報に基づいて、前記第１フォーマットとは異なる第２フォーマットで前記配薬シートＰ１を生成する。具体的に、前記第２フォーマットは、前記取得処理部１１１によって取得された情報に基づいて服用者及び薬品の情報を配薬タイミング別に出力する前記第２出力処理により出力される配薬シートＰ１の態様に対応する。ここで、図１２〜図１４を参照しつつ、前記第２フォーマットで生成された前記配薬シートＰ１の一例について説明する。図１２〜図１４は、前記第２フォーマットで生成された３頁の前記配薬シートＰ１の一例を示す図である。なお、図１２〜図１４に示される前記配薬シートＰ１に記載されている具体的な情報の内容は、説明の便宜上の情報を含むものであり、図４〜図７の前記分包データＤ１と関連するものではない。
【００６０】
前記制御部１１は、図１２〜図１４に示されるように、前記配薬シートＰ１を前記第２フォーマットで生成する場合には、複数の服用者に対応する複数の前記第２情報Ｄ２を配薬日及び配薬タイミングの組み合わせごとにグループ化して複数の配薬単位情報Ｄ３を生成する。そして、前記制御部１１は、前記配薬単位情報Ｄ３各々を前記配薬タイミング別に纏めて配置した前記配薬シートＰ１を生成する。ここで、前記制御部１１は、前記配薬シートＰ１において、前記配薬単位情報Ｄ３各々を当該配薬単位情報Ｄ３に対応する前記配薬日の時系列順で上から並べて配置する。具体的に、図１２〜図１４に示される例では、前記配薬タイミングごとに対応する１頁の前記配薬シートＰ１に、当該配薬タイミングに対応する前記配薬単位情報Ｄ３が並べて配置されている。即ち、前記制御部１１は、前記配薬タイミングが切り替わるごとに改頁された前記配薬シートＰ１を生成する。
【００６１】
図１２〜図１４に示される例では、「朝」、「昼」、「夜」の３つの配薬タイミングに対応する３頁の前記配薬シートＰ１のそれぞれにおいて、「平成３１年３月３日」、「平成３１年３月４日」、「平成３１年３月５日」の配薬日ごとに対応する前記配薬単位情報Ｄ３が当該配薬日の時系列順に従って上から順に並べて配置されている。即ち、前記配薬シートＰ１各々では、当該配薬シートＰ１に対応する配薬タイミングについて、前記配薬日ごとに前記第２情報Ｄ２が纏めて配置されている。例えば、図１２に示される例では、「朝」の配薬タイミングに対応する前記配薬シートＰ１では、「平成３１年３月３日」の配薬日について、「服用者Ａ」〜「服用者Ｉ」の９人分の前記第２情報Ｄ２を含む前記配薬単位情報Ｄ３が配置されている。なお、図１２に示されるように、前記調剤対象として選択された前記処方データにおける最初の配薬タイミングに対応する前記配薬シートＰ１には、前記配薬タイミングが「頓服」及び「外用」である前記第２情報Ｄ２が出力されている。また、前記配薬タイミングが任意のタイミングである「頓服」及び「外用」である前記第２情報Ｄ２については、別の前記配薬シートＰ１に出力されてもよい。
【００６２】
＜ステップＳ７＞
ステップＳ７において、前記制御部１１は、前記ステップＳ５又は前記ステップＳ６で生成された前記配薬シートＰ１を出力する。具体的に、前記制御部１１は、前記プリンタ４に前記配薬シートＰ１の印刷データを出力し、当該プリンタ４によって前記配薬シートＰ１を印刷させる。また、前記制御部１１は、前記配薬シートＰ１を前記表示装置１４等に表示してもよく、前記配薬シートＰ１に対応するデータをモバイル端末等の外部機器に送信してもよい。なお、このように前記ステップＳ５〜Ｓ７において、前記第１フォーマット又は前記第２フォーマットで生成された前記配薬シートＰ１を出力する出力ステップは、前記制御部１１の出力処理部１１２によって実行される。
【００６３】
以上説明したように、前記配薬支援システム１０では、前記分包装置３における薬品の分包順に応じて前記第１フォーマット又は前記第２フォーマットで前記配薬シートＰ１が印刷される。そのため、複数の服用者の前記薬包８１を配薬タイミングごとに所定のトレイなどに振り分ける作業を行う作業者は、前記配薬シートＰ１を参照しながら作業を行うことにより、当該作業におけるミスを抑制すると共に作業効率を高めることができる。特に、前記調剤施設の薬剤師等は、前記薬包８１と前記配薬シートＰ１とを用いて、当該薬包８１の配薬タイミングごとの振り分け作業と共に、当該薬包８１についての調剤鑑査を行うことも可能である。
【００６４】
ところで、前記配薬支援システム１０が使用される前記調剤施設において、前記薬包８１を配薬タイミングごとに振り分ける際に用いられる前記所定のトレイにおける薬品の収容部の配置が決まっている場合、前記制御部１１は、前記所定のトレイにおける薬品の収容部の配置と同じ配置で前記第２情報Ｄ２を前記配薬シートＰ１に配置して出力することが考えられる。具体的に、前記制御部１１は、前記ステップＳ１における前記処方データの選択時、又は初期設定などにおけるユーザー操作に応じて、前記配薬シートＰ１における前記第２情報Ｄ２の縦及び横のいずれか一方又は両方の配置数を配列情報として予め設定可能であることが考えられる。そして、前記制御部１１は、前記配薬シートＰ１を出力する際には、前記配列情報に基づいて、前記所定のトレイにおける薬品の収容部の配置と同じように前記第２情報Ｄ２を配置して前記配薬シートＰ１を出力する。例えば、図９〜図１４に示されている前記配薬シートＰ１は、前記配列情報として、前記第２情報Ｄ２を横に４列に並べる旨が設定されている場合の出力結果を示す例である。これにより、前記配薬グループごと、又は前記調剤施設ごとなどの任意の単位で前記配薬シートＰ１における前記第２情報Ｄ２の配列を前記所定のトレイにおける薬品の収容部の配列に合わせることができ、前記配薬シートＰ１を見ながら前記所定のトレイに薬品を振り分ける作業の効率をより高めると共に作業のミスを抑止することが可能である。
【００６５】
なお、前記制御部１１は、前記分包データＤ１を生成する際に、当該分包データＤ１に前記分包外薬品の情報を含めることが考えられる。この場合、前記分包装置３において、前記制御部３１は、前記分包プリンタ３２を用いて、前記分包外薬品の配薬タイミングに対応する前記薬包８１に、前記分包外薬品が存在する旨及び前記分包外薬品の内容などの情報を文字又はピクトグラム（画像）で印刷することが考えられる。これにより、前記薬包８１の配薬時に前記分包外薬品の存在を容易に把握することができ、前記分包外薬品の使用忘れを抑制することができる。また、前記分包外薬品の配薬タイミングに対応する前記薬包８１が存在しない場合でも、前記制御部３１が、空の前記薬包８１を出力してその薬包８１に前記分包外薬品が存在する旨及び前記分包外薬品の内容などの情報を文字又はピクトグラム（画像）で印刷させることも考えられる。これにより、前記薬包８１の配薬タイミングと異なるタイミングで配薬するべき前記分包外薬品が存在する場合でも、空の前記薬包８１を参照することにより前記分包外薬品の存在を容易に把握することができ、前記分包外薬品の配薬忘れを抑制することができる。
【符号の説明】
【００６６】
１      配薬支援装置
１１    制御部
１１１  取得処理部
１１２  出力処理部
１２    データ記憶部
２      調剤機器
３      分包装置
３１    制御部
３２    分包プリンタ
４      プリンタ
８１    薬包
１０    配薬支援システム
【図１】
2020177263.tif 000003
【図２】
2020177263.tif 000004
【図３】
2020177263.tif 000005
【図４】
2020177263.tif 000006
【図５】
2020177263.tif 000007
【図６】
2020177263.tif 000008
【図７】
2020177263.tif 000009
【図８】
2020177263.tif 000010
【図９】
2020177263.tif 000011
【図１０】
2020177263.tif 000012
【図１１】
2020177263.tif 000013
【図１２】
2020177263.tif 000014
【図１３】
2020177263.tif 000015
【図１４】
2020177263.tif 000016